(57)【特許請求の範囲】
【請求項１】
固定物に設けた取付孔内に挿入するシャフトに拡張領域を設け、この拡張領域が、シャフトの長さ方向に沿って先端上りの傾斜状に設けた凹入傾斜面と、この凹入傾斜面に対してシャフトの長さ方向への移動が可能となるよう収まる楔部材で形成され、前記取付孔に挿入したシャフトの引き抜き方向に対して、前記拡張領域が拡張して抜け止め状態が得られるようにしたアンカー装置において、前記シャフトと楔部材を、可曲連結部を介して一体成形し、前記楔部材を可曲連結部で折り曲げて凹入傾斜面に収めることができるようにしたことを特徴とするアンカー装置。
【請求項２】
上記シャフトと楔部材及び可曲連結部は、可曲連結部の折り曲げを許容する材質の合成樹脂を用いて一体成形されていることを特徴とする請求項１に記載のアンカー装置。
【請求項３】
上記シャフトは円軸状に形成され、このシャフトに設けた凹入傾斜面に収まる楔部材は、前記シャフトの外径に適合する弧状外面と、凹入傾斜面に重なる傾斜面とを有し、凹入傾斜面に収まる状態で、弧状外面がシャフトの外径に対して外方に突出していることを特徴とする請求項１又は２に記載のアンカー装置。
【請求項４】
上記シャフトの凹入傾斜面とこれに重なる楔部材の傾斜面に、凹入傾斜面に楔部材が収まる状態で互いに嵌り合い、楔部材のシャフト長さ方向への移動を誘導するガイド機構を設けたことを特徴とする請求項１乃至３の何れかに記載のアンカー装置。
【請求項５】
上記シャフトの外径面と上記楔部材の弧状外面の何れか一方又は両方に、固定物に設けた取付孔の内周面に接触することで抜け止め機能する突部を設けたことを特徴とする請求項１乃至４の何れかに記載のアンカー装置。
【請求項６】
請求項１乃至５の何れかに記載のアンカー装置と、このアンカー装置のシャフトにおける後端に設けた配管等の支持部によって形成され、前記支持部が、開口部から押し込まれた大径配管を内周の弧状面で弾力的に抱持する大径管保持部と、前記大径管保持部の内側に所要数が設けられ、前記開口部から押し込まれた大径配管よりも小径の配管を弾力的に抱持する小径管保持部とからなり、この小径管保持部が、前記大径管保持部の内周弧状面の両側に設けられた弾性湾曲壁で形成されている配管等の支持具。
【請求項７】
上記支持部の大径管保持部は、アンカー装置のシャフトにおける後端に設けたベース板部の下面で、シャフトの軸線を挟む両側の位置に、上下長さが大径配管の半径よりも長い一対の弾性抱持腕を突設し、両弾性抱持腕の先端間を大径配管の外径よりも狭い開口部とし、この両弾性抱持腕の内部周囲を大径配管の外径に適合して連続するような円弧面にして形成され、少なくとも一つの上記小径管保持部が、前記両弾性抱持腕の先端部内面から互いに相手弾性抱持腕に向けて突出する一対の弾性湾曲壁で形成されている請求項６に記載の配管等の支持具。
【発明の詳細な説明】
【技術分野】
【０００１】
この発明は、コンクリート構造物の天井や壁面等に、各種部材を取付たり固定するために使用するアンカー装置と、このアンカー装置を用いた配管等の支持具に関する。
【背景技術】
【０００２】
例えば、コンクリート構造物の天井や壁面等に各種部材を取付る場合、天井に設けた取付孔にアンカー本体となるシャフトを挿入するだけで抜け止め状となり、各種部材を簡便に取付ることができるアンカー装置が用いられている。
【０００３】
従来の上記したアンカー装置は、各種部材を取付けるためのアンカー本体が円軸状のシャフトを用いて形成され、このシャフトの上端部に円錐部を設け、前記円錐部に下向きＵ字状の保持部材を被せ、前記シャフトの上端と保持部材の間にばねを縮設し、前記保持部材をリングで縮径状に保持した構造を有し、天井に設けた取付孔にシャフトを挿入してリングから保持部材を外すと、ばねで押された保持部材が上昇して円錐部で保持部材が拡張し、取付孔の内周に保持部材が圧接することにより、シャフトの抜け止めが得られるようになっている（例えば、特許文献１参照）。
【０００４】
また、別のアンカー装置としては、各種部材を取付るためのアンカー本体を円軸状のシャフトに形成し、このシャフトの先端側途中に長さ方向に沿って先端上りの傾斜状となる凹入傾斜面を設け、前記シャフトと別部材となる楔部材を前記凹入傾斜面に対してシャフトの長さ方向への移動が可能となるよう収めた構造のものが知られている（例えば、特許文献２乃至４参照）。
【０００５】
上記特許文献２乃至４で示したアンカー装置は、凹入傾斜面に楔部材を収めた状態のシャフトを、コンクリート構造物に設けた取付孔に挿入すればよく、シャフトに引き抜き方向の力が作用すると、取付孔の内周面に接触する楔部材がそのままの位置で残ろうとするのに対してシャフトが抜けようとし、楔部材に対して凹入傾斜面が移動しようとすることでこの部分が拡張し、この拡張によりシャフトの抜け止め状態が得られることになる。
【０００６】
次に、上記したアンカー装置の用途の一例として、コンクリート構造物の天井や壁面等に配管を配置するための配管固定用の支持具を例示することができ、このような配管固定用の支持具は、アンカー装置におけるシャフトの下端に、配管を構成するパイプの支持部を設けて形成され、コンクリート構造物にアンカー装置を固定した後、前記支持部にパイプを取付ける構造になっている。
【０００７】
このような配管固定用の支持具における従来の一般的な支持部は、途中にパイプの外径に適した湾曲部を有する一対の金属バンドで挟み、両金属バンドの両端部をボルトで結合して締め付けてパイプを挟持する構造になっており、この場合、一方金属バンドがアンカー装置におけるシャフトの下端に固定される（例えば、特許文献５参照）。
【０００８】
ここで、配管に用いるパイプには外径の異なる幾つかの種類があり、特許文献５で示した支持具における支持部のように、特定の外径を有する一種類のパイプを支持する構造であると、外径の異なる各パイプに対応した複数種類の支持具を用意しなければならないという不便があり、これを解消するには、一つの支持部で異なる外径のパイプを取付ることができる構造を採用する必要がある。
【０００９】
上記のような異なる外径のパイプを取付ることのできる支持部としては、シャフトの下端に可撓性の巻き付けバンドを取付け、前記バンドを必要量締め込むことでパイプを固定できると共に、このバンドの巻き締め量を調節することで外径の異なるパイプを固定できるものが既に提案されている（例えば、特許文献６参照）。
【００１０】
また、別の支持部としては、基本構造が特許文献５と略同じであるが、一方金属バンドの外面に、開口部から押し込んだパイプを弾力的に抱持する欠円筒状の保持部を突設し、一対の金属バンドと保持部で二種類の外径の異なるパイプを取付ることができる構造のものが提案されている（例えば、特許文献７参照）。
【先行技術文献】
【特許文献】
【００１１】
【特許文献１】特開昭５８−１０２８１４号公報
【特許文献２】特開平８−２２６４１８号公報
【特許文献３】特開平９−１９６０３４号公報
【特許文献４】特開平１０−１３１９２４号公報
【特許文献５】特開平５−２６３９７０号公報
【特許文献６】特開平８−２７０８３８号公報
【特許文献７】特開２００２−２７６８５９号公報
【発明の概要】
【発明が解決しようとする課題】
【００１２】
ところで、上記特許文献１で示したアンカー装置は、シャフトに対して保持部材、ばね、リングが必要になり、このため、構成部品点数が多く、材料コストが高くつくだけでなく、組み立て作業も複雑になるという問題がある。
【００１３】
これに対して、上記特許文献２乃至４で示したアンカー装置は、シャフトと楔部材の組み合わせだけで形成されているので、構成部品点数を極力少なくすることができ、その分材料コストが安くつき、凹入する傾斜面に楔部材を収めるだけであるので組み立て作業も単純化できるという利点がある。
【００１４】
しかしながら、シャフトに対して楔部材が別部材に分離されていると、製作のために二つの金型が必要になるので設備コストが高くつくだけでなく、組み立て作業時に、小さな楔部材を凹入傾斜面に収めようとしても位置が定まりにくく、このため、楔部材が簡単に位置ずれしたり離脱してしまうという事態が生じやすく、現場での楔部材の取り扱いに不便があると共に、小さな楔部材は紛失等が生じやすいという問題がある。
【００１５】
また、シャフトと楔部材の別部材による不都合を解消する手段として、特許文献４に、凹入傾斜面に収めた楔部材を合成樹脂のテープでシャフトに固定する構造が示されているが、テープという別部材のための経費が必要になるだけでなく、テープで楔部材をシャフトに固定する作業が別途必要になるという問題がある。
【００１６】
更に、配管固定用の支持具において、特許文献５で示したものは、部品点数が多く、ココストアップにつながると共に、ボルトの締め緩めによるパイプの保持や取り外し作業に手間と時間がかかるという問題がある。
【００１７】
また、特許文献６で示した配管固定用の支持具は、バンドにパイプを固定した後、バンド固定部から突出した余剰部分をカッター等で切断する必要があり、パイプを取り外す場合もバンドを切断しなければならないので、パイプの固定及び取り外し作業に手間がかかるという問題がある。
【００１８】
特許文献７で示した配管固定用の支持具は、部品点数、ココストアップ、パイプの保持や取り外し作業に関して上記した特許文献５と同様の問題があるだけでなく、二種類の外径が異なるパイプしか対応できないという不都合がある。
【００１９】
そこで、この発明の課題は、シャフトと楔部材を一体成形で連結しておくことにより、楔部材の紛失発生を防ぐことができると共に、余分な部材のための経費の発生がなく、使用に際して楔部材を安定よく位置決めでき、現場での取り扱いが容易なアンカー装置と、少なくとも外径の異なる二種類以上のパイプを固定することができ、かつ、パイプの着脱を容易にして配管作業の能率向上を図ることができる配管等の支持具を提供することにある。
【課題を解決するための手段】
【００２０】
上記のような課題を解決するため、請求項１の発明は、固定物に設けた取付孔内に挿入するシャフトに拡張領域を設け、この拡張領域が、シャフトの長さ方向に沿って先端上りの傾斜状に設けた凹入傾斜面と、この凹入傾斜面に対してシャフトの長さ方向への移動が可能となるよう収まる楔部材で形成され、前記取付孔に挿入したシャフトの引き抜き方向に対して、前記拡張領域が拡張して抜け止め状態が得られるようにしたアンカー装置において、  前記シャフトと楔部材を、可曲連結部を介して一体成形し、前記楔部材を可曲連結部で折り曲げて凹入傾斜面に収めることができるようにしたものである。
【００２１】
請求項２の発明は、上記シャフトと楔部材及び可曲連結部は、可曲連結部の折り曲げを許容する材質の合成樹脂を用いて一体成形されているようにしたものである。
【００２２】
請求項３の発明は、上記シャフトが円軸状に形成され、このシャフトに設けた凹入傾斜面に収まる楔部材は、前記シャフトの外径に適合する弧状外面と、凹入傾斜面に重なる傾斜面とを有し、凹入傾斜面に収まる状態で、弧状外面がシャフトの外径に対して外方に突出している構造としたものである。
【００２３】
請求項４の発明は、上記シャフトの凹入傾斜面とこれに重なる楔部材の傾斜面に、凹入傾斜面に楔部材が収まる状態で互いに嵌り合い、楔部材のシャフト長さ方向への移動を誘導するガイド機構を設けた構造としたものである。
【００２４】
請求項５の発明は、上記シャフトの外径面と上記楔部材の弧状外面の何れか一方又は両方に、固定物に設けた取付孔の内周面に接触することで抜け止め機能する突部を設けた構造としたものである。
【００２５】
請求項６の発明は、請求項１乃至５の何れかに記載のアンカー装置と、このアンカー装置のシャフトにおける後端に設けた配管等の支持部によって形成され、前記支持部が、開口部から押し込まれた大径配管を内周の弧状面で弾力的に抱持する大径管保持部と、前記大径管保持部の内側に所要数が設けられ、前記開口部から押し込まれた大径配管よりも小径の配管を弾力的に抱持する小径管保持部とからなり、この小径管保持部が、前記大径管保持部の内周弧状面の両側に設けられた弾性湾曲壁で形成されているようにしたものである。
【００２６】
請求項７の発明は、上記支持部の大径管保持部は、アンカー装置のシャフトにおける後端に設けたベース板部の下面で、シャフトの軸線を挟む両側の位置に、上下長さが大径配管の半径よりも長い一対の弾性抱持腕を突設し、両弾性抱持腕の先端間を大径配管の外径よりも狭い開口部とし、この両弾性抱持腕の内部周囲を大径配管の外径に適合して連続するような円弧面にして形成され、少なくとも一つの上記小径管保持部が、前記両弾性抱持腕の先端部内面から互いに相手弾性抱持腕に向けて突出する一対の弾性湾曲壁で形成されているようにしたものである。
【００２７】
ここで、アンカー装置は、上記シャフトと楔部材及び可曲連結部を可撓性の合成樹脂で一体成形することにより形成され、前記シャフトは円軸状に形成してその先端側外周面に凹入傾斜面を設けた構造を有し、前記楔部材は、細巾で薄い帯状の可曲連結部でシャフトの先端に延長状の配置で一体成形され、この可曲連結部で折り返すことにより、丁度凹入傾斜面に収まるようになっている。
【００２８】
また、アンカー装置は、凹入傾斜面に楔部材を収めた状態のシャフトを、コンクリート構造物に設けた取付孔に挿入すれば、シャフトに引き抜き方向の力が作用すると、取付孔の内周面に接触する楔部材がそのままの位置で残ろうとするのに対してシャフトが抜けようとし、楔部材に対して凹入傾斜面が移動しようとすることでこの部分が拡張し、この拡張によりシャフトの抜け止め状態が得られる。
【００２９】
上記アンカー装置におけるシャフトの後端に支持部を設けることにより配管等の支持具が構成され、前記支持部に配管等を固定することになるが、この支持部は、アンカー装置と合成樹脂を用いて一体成形することができ、支持部を構成する大径管保持部及び小径管保持部は、合成樹脂のもつ弾性によって配管等を弾力的に保持することになる。
【発明の効果】
【００３０】
この発明のアンカー装置によると、シャフトと楔部材を可曲連結部を介して一体成形し、前記楔部材を可曲連結部で折り曲げて凹入傾斜面に収めることができるようにしたので、一体連結化によりシャフトに対して楔部材の紛失発生を防ぐことができると共に、使用に際して前記楔部材を可曲連結部で折り曲げて凹入傾斜面に収めるだけでよいので現場での取り扱いが容易になる。
【００３１】
また、楔部材を凹入傾斜面に予め収めた状態にする必要がないので、楔部材を凹入傾斜面に対して保持しておくための余分な部材が不要になり、そのための経費の発生がないという利点がある。
【００３２】
更に、シャフトと楔部材を可曲連結部を介して合成樹脂で連成すると、楔部材を凹入傾斜面に収めて取付孔に挿入した状態で、折れ曲がった可曲連結部の復元弾性が楔部材を取付孔の内周面に圧接させ、これにより、楔部材による拡張作用を速やかに生じさせ、取付孔に挿入するだけで確実に抜け止め状態を得ることができる。
【００３３】
また、この発明の配管等の支持具によると、少なくとも二種類以上の外径が異なる配管等を固定することができ、支持部を構成する大径管保持部及び小径管保持部を一体成形することで、構造の簡略化とコストの低減を図ることができ、しかも、開口部から配管等を押し込むだけで配管類を固定できるので、配管等の着脱が容易になり、配管作業の能率を向上させることができる。
【図面の簡単な説明】
【００３４】
【図１】この発明のアンカー装置を備えた配管等の支持具を示す使用前の正面図
【図２】（ａ）はこの発明のアンカー装置を備えた配管等の支持具を示す使用前の側面図、（ｂ）は（ａ）の矢印ｂ−ｂ´に沿う拡大した横断平面図、（ｃ）は（ａ）の矢印ｃ−ｃ´に沿う拡大した横断平面図
【図３】この発明のアンカー装置を備えた配管等の支持具を示す使用前の背面図
【図４】この発明のアンカー装置を備えた配管等の支持具をコンクリート構造物に固定した状態を示す縦断側面図
【図５】（ａ）はこの発明のアンカー装置を備えた配管等の支持具で大径パイプを保持固定した使用状態を示す縦断正面図、（ｂ）は同じく小径パイプを保持固定した使用状態を示す縦断正面図
【発明を実施するための形態】
【００３５】
以下、この発明の実施の形態を添付図面に基づいて説明する。
【００３６】
図示のように、この発明の配管等の支持具１は、コンクリート構造物ａに設けた取付孔ｂに挿入して固定するためのアンカー装置２と、このアンカー装置２の下部に設けられ、配管や配線等を固定保持するための支持部３とで構成され、前記アンカー装置２は、取付孔ｂ内に挿入するシャフト４と、前記シャフト４の外面に設けた拡張領域５とで形成されている。
【００３７】
上記シャフト４は、アンカー本体であり、所定の長さと直径を有する円軸状に形成され、このシャフト４に設けた拡張領域５は、シャフト４の外面で後端側から先端わたって凹入するよう設けられ、シャフト４の長さ方向に沿って先端上りの傾斜状となる凹入傾斜面６と、前記シャフト４の先端側に突出状となる位置から前記凹入傾斜面６に対してシャフト４の長さ方向への移動が可能となるよう収めることができる楔部材７と、前記シャフト４の先端と楔部材７を連結する可曲連結部８で形成され、前記楔部材７を可曲連結部８で折り曲げて凹入傾斜面６の凹入空間に収めることができる構造になっている。
【００３８】
上記シャフト４と楔部材７及び可曲連結部８は、帯状や板状、細い軸状となる可曲連結部８を折り曲げることのできる材質の合成樹脂を用いて一体成形し、前記シャフト４の外面に設けた凹入傾斜面６は、シャフト４の先端から後端側にわたる範囲を切り欠くことにより、シャフト４の長さ方向に沿って先端上りの平坦な傾斜状に形成され、その後端部がシャフト４の長さ方向に直角となるストッパー面６ａになっている。
【００３９】
上記のように、シャフト４と楔部材７を可曲連結部８を介して合成樹脂で一体形成すると、シャフト４と楔部材７を一つの金型で製作することができ、設備コストの削減が図れると共に、小さな楔部材７が紛失するようなことがなく、凹入傾斜面６に楔部材７を収める作業も容易に行える。
【００４０】
この凹入傾斜面６に収まる楔部材７は、図２のように、凹入傾斜面６による凹入空間に丁度収まるような長さと巾を有する楔形になっており、シャフト４の外径と略等しい曲率となる弧状外面７ａと、楔部材７の長さ方向に沿って先端下がりとなる平坦傾斜面７ｂによって、先端に向けて薄肉厚となる形状に形成され、凹入傾斜面６に平坦傾斜面７ｂを重ねて全長を収めた定位置の状態で、厚肉となる後端の端面がストッパー面６ａに当接し、弧状外面７ａが、シャフト４の外径に対して少し外方に突出するようになっている。
【００４１】
上記楔部材７の弧状外面７ａには、例えば、多数の突起が長さ方向に一定間隔で並ぶ鋸歯状のような突条７ｃが形成され、コンクリート構造物ａに設けた取付孔ｂの内周面に対して抜け止め機能が得られる構造になっていると共に、図１乃至図３のように、アンカー装置２の使用前の状態において、前記楔部材７は薄肉厚となる先端がシャフト４の先端に可曲連結部８を介して一体成形され、これにより、前記楔部材７はシャフト４の先端側に延長状の配置状態で凹入傾斜面６と平坦傾斜面７ｂは逆傾斜の配置となり、図４に示すように、前記楔部材７を可曲連結部８で凹入傾斜面６に向けて折り返すことにより、丁度凹入傾斜面６に平坦傾斜面７ｂが重なって全長が収まるようになっている。
【００４２】
なお、シャフト４の外周面にも、上記楔部材７と同様、コンクリート構造物ａに設けた取付孔ｂの内周面に接触することで抜け止め機能する鋸歯状の突条４ａが設けてある。この突部４ａは、凹入傾斜面６と反対側の外面だけでもよいが、図示の場合は、外径面の三カ所の位置に配置した例を示している。
【００４３】
上記拡張領域５における凹入傾斜面６と楔部材７の平坦傾斜面７ｂには、凹入傾斜面６に楔部材７が収まる状態で互いに嵌り合い、シャフト４に対して楔部材７を、シャフト４の軸方向に移動可能とすると共に、シャフト４の周方向には移動しないように位置決めをするガイド機構が設けられている。
【００４４】
このガイド機構は、図１と図２で示すように、凹入傾斜面６と平坦傾斜面７ｂの一方に設けた長さ方向の凹溝９ａと、この凹溝９ａに嵌るよう他方に設けた長さ方向の突条９ｂとで形成されている。
【００４５】
なお、シャフト４とこれに対して連成する楔部材７の位置関係は、図示の場合、前記楔部材７をシャフト４の先端側に延長状の配置としたが、これとは別に、凹入傾斜面６の一方側縁に細い可曲連結部を介して楔部材７を一体成形し、シャフト４の側部方向から楔部材７を折り曲げて凹入傾斜面６収めるようにしてもよい。
【００４６】
次に、この発明の配管等の支持具１は、上記したアンカー装置２と、このアンカー装置２におけるシャフト４の後端に配管や配線等の一つであるパイプを固定保持するよう設けた支持部３を、合成樹脂によって一体成形した構造になっている。
【００４７】
上記支持部３は、図３と図５に示すように、シャフト４の正面から両側に張り出す平面矩形状となり、シャフト４の後端に直角の配置で設けたベース板部１０と、このベース板部１０の下部に設けた大径管保持部１１と、前記大径管保持部１１の内側に所要数が設けられた小径管保持部１２とで形成され、外径の異なる二種類以上のパイプ１３ａや１３ｂを選択して保持固定することができるようになっている。
【００４８】
上記大径管保持部１１は、ベース板１０の下面でシャフト４の軸線を挟む両側の位置に設けられ、大径パイプ１３ａを抱持できる間隔で対向するよう下向きに突設した一対の弾性抱持腕１１ａによって形成され、前記両弾性抱持腕１１ａは、大径パイプ１３ａを抱持するために必要な巾を有し、両弾性抱持腕１１ａの下端間が小径パイプ１３ｂの外径よりも少し狭くなる幅の開口部１４となり、ベース板部１０に連なる各弾性抱持板１１ａの上端部は、肉厚を薄くすることによる第１可動ヒンジ１５となり、開口部１４が開閉する方向の弾性を向上させている。
【００４９】
この両弾性抱持腕１１ａの内部周囲は、大径パイプ１３ａの外径に適合して連続するような円弧面になり、両弾性抱持腕１１ａの上下寸法が大径パイプ１３ａの半径よりも少し長くなり、開口部１４から一対の弾性抱持腕１１ａ間に大径パイプ１３ａを押し込むと、両弾性抱持腕１１ａは、押し込まれた大径パイプ１３ａを合成樹脂の弾性で弾力的に保持固定することになる。
【００５０】
上記小径管保持部１２は、前記両弾性抱持腕１１ａの内側対向面の途中に、相手弾性抱持腕１１ａに向けて上向き弧状に突出するよう設けられ、小径パイプ１３ｂを抱持する一対の弾性湾曲壁１２ａで形成され、この弾性湾曲壁１２ａは、両弾性抱持腕１１ａの先端部内面から互いに相手弾性抱持腕１１ａに向けて突出する円弧板となり、弾性抱持腕１１ａの先端内側面に連なる基端部が第２可動ヒンジ１６となり、両弾性湾曲壁１２ａの対向面の方向に対する弾性が付与されていると共に、両弾性湾曲壁１２ａの自由端は両側に遊離している。
【００５１】
図示の場合、保持部３は、両弾性抱持腕１１ａの内部に小径管保持部１２を一つだけ設けたが、両弾性抱持腕１１ａの内部で上下の複数箇所の位置に小径管保持部１２を設け、外径の異なる複数種類の小径パイプ１３ｂを保持固定することができるようにすることができる。
【００５２】
この小径管保持部１２は、図５（ｂ）のように、小径パイプ１３ｂを開口部１４から一対の弾性抱持腕１１ａ間に押し込むと、一対の弾性抱持腕１１ａの先端部と両側の弾性湾曲壁１２ａとで小径パイプ１３ｂを合成樹脂の弾性で弾力的に保持固定することになる。
【００５３】
また、図５（ａ）のように、大径パイプ１３ａを開口部１４から一対の弾性抱持腕１１ａ間に押し込んだ場合、開口部１４を押し広げた大径パイプ１３ａは、両側の弾性湾曲壁１２ａを弾性抱持腕１１ａの内部周囲に押し付けるように折り曲げながら進入し、開口部１４を大径パイプ１３ａの半径が通過した時点で両弾性抱持腕１１ａが復帰し、押し込まれた大径パイプ１３ａを合成樹脂の弾性で弾力的に保持固定することになり、弾性湾曲壁１２ａは弾性抱持腕１１ａと大径パイプ１３ａの間に収まることになる。
【００５４】
なお、上記したアンカー装置２の用途は、この発明の支持部３のような配管等の支持に限定されるものではなく、例えば、シャフト４の後端に設けた延長軸の外面に雄ねじを形成し、これにナットを螺締することにより、コンクリート構造物の壁面や天井面に対して板状物や機材を固定することができるような構造であってもよい。
【００５５】
この発明のアンカー装置２とこれを用いた配管等の支持具１は、上記のような構成であり、次に、コンクリート構造物ａの天井に配管であるパイプを取付ける場合を例にしてその使用方法を説明する。
【００５６】
図４に示すように、コンクリート構造物ａの天井に、シャフト４の外径に適合する内径と必要とする長さの取付孔ｂを穿設し、アンカー装置２は、楔部材７を可曲連結部８で折り返してシャフト４の凹入傾斜面６に平坦傾斜面７ｂを重ね、凹溝９ａと突条９ｂを嵌め合わせた収納状態で、前記シャフト４を先端側から取付孔ｂへ押し込むようにして挿入すればよく、この押し込み時に、楔部材７は、円弧状外面７ａや突条７ｃが取付孔ｂの内周面に接触した場合、厚肉となる後端が凹入傾斜面６のストッパー面６ａに当接することにより、シャフト４と一体となって取付孔ｂ内へ進入する。
【００５７】
上記取付孔ｂに対してベース板部１０が天井面に重なるようシャフト４を挿入した状態で、取付孔ｂはシャフト４とこれに組み合わせた楔部材７を押し込むような内径に設定されているので、シャフト４の外面に設けた突条４ａ及び楔部材７の突条７ｃが取付孔ｂの内周面に接触することになり、このため、シャフト４に引き抜き方向の力が作用すると、シャフト４が抜けようとするのに対して楔部材７は、取付孔ｂの内周面との接触による摩擦力によってそのままの位置で残ろうとし、楔部材７に対して凹入傾斜面６が移動しようとすることで楔部材７を外方に押し、凹入傾斜面６と平坦傾斜面７ｂの作用で、シャフト４と楔部材７の間に拡張力が生じ、楔部材７の円弧状外面７ａとシャフト４を取付孔ｂの内周面に圧接させた拡張によりシャフト４の抜け止め状態が得られ、コンクリート構造物ａに対する配管等の支持具１の固定が行える。
【００５８】
ここで、コンクリート構造物ａの取付孔ｂにシャフト４を挿入した状態で、シャフト４と楔部材７の間に拡張力を速やかに生じさせ、挿入位置でシャフト４の抜け止め状態を得るようにするのが好ましく、そのためには、楔部材７の円弧状外面７ａを取付孔ｂの内周面に圧接させ、この圧接部分の摩擦力で楔部材７が取付孔ｂに対してシャフト４の抜け方向に共動しないようにすればよい。
【００５９】
ここで、この発明のアンカー装置２は、シャフト４の先端に可曲連結部８を介して楔部材７を連結した構造になっているので、折り曲げ状とした可曲連結部８の合成樹脂による伸直方向への復元弾性によって、楔部材７の取付孔ｂに対する圧接力が得られることになる。
【００６０】
図示の場合、可曲連結部８は、全長にわたって幅と厚みが均一で、長さ方向に対して直角の断面形状が長方形となる帯板に形成したものを示したが、折り曲げ状としたときの伸直方向への復元弾性を大きくするため、幾つかの形状及び構造を採用することができる。
【００６１】
具体的には、全体が帯板状となる可曲連結部８を長い菱形状としたり両側縁を円弧縁とした長い樽形とすることで長さ方向の中央部を広幅とした構造、全体が帯板状で長さ方向の中央部付近を他の部分よりも厚肉にした構造、全体が帯板状で長さ方向の中央部付近を他の部分よりも部分的に広幅とした構造、上記した各形状と構造の組み合わせ等を例示することができる。
【００６２】
また、可曲連結部８の両端でシャフト４の先端に連なる部分及び楔部材７に連なる部分の両側を円弧縁や直線縁とすることで両端部を広幅構造とし、可曲連結部８の両端部によって伸直方向への復元弾性が大きくなるようにすることもできる。
【００６３】
上記のように、取付孔ｂにシャフト４を差し込んでコンクリート構造物ａの天井に配管等の支持具１を複数固定した後、各配管等の支持具１の保持部３にわたって大径パイプ１３ａ又は小径パイプ１３ｂを開口部１４から押し込んで取付けるようにすれば、コンクリート構造物ａの天井に大径パイプ１３ａ又は小径パイプ１３ｂによる配管を施すことができる。
【００６４】
上記保持部３に大径パイプ１３ａ又は小径パイプ１３ｂを取付けると、これらパイプの重量がシャフト４に引き抜き方向の負荷として加わることになるが、シャフト４に設けた凹入傾斜面６と楔部材７の平坦傾斜面７ｂの作用によって、シャフト４と楔部材７の間には引き抜き力に比例した拡張力が生じるので、重量に見合う強固な耐引き抜き強度が発生し、コンクリート構造物ａの天井に対して配置したパイプの高い固定強度が得られることになる。
【００６５】
なお、この発明のアンカー装置２は、シャフト４の先端に可曲連結部８を介して楔部材７を一体成形してあるので、シャフト４に対して小さな部材である楔部材７を紛失するようなことがなく、楔部材７は凹入傾斜面６に向けて可曲連結部８の部分で折り返すことでこの凹入傾斜面６に収まり、かつ、ガイド機構となる凹溝９ａと突条９ｂの嵌り合いによる位置決め機能により、取付孔ｂに対するシャフト４の挿入時に凹入傾斜面６から楔部材７が脱落するようなことがなく、組み立て及び挿入作業が能率よく行えることになる。
【００６６】
また、シャフト４の先端に可曲連結部８を介して楔部材７を一体成形することにより、楔部材７を凹入傾斜面６に対して収めた状態で取付孔ｂに挿入すれば、折り曲げた可曲連結部８の復元弾性で楔部材７を取付孔ｂの内周面に圧接させることができ、これにより、シャフト４の外径に対して取付孔ｂの内径多少の誤差があっても、楔部材７の引き抜き方向への移動発生を瞬時に防いでシャフト４の抜け止めを得ることができ、シャフト４を挿入した軸方向の位置で配管等の支持具１を確実に固定することができる。
【符号の説明】
【００６７】
１        配管等の支持具
２        アンカー装置
３        支持部
４        シャフト
４ａ      突条
５        拡張領域
６        凹入傾斜面
６ａ      ストッパー面
７        楔部材
７ａ      円弧状外面
７ｂ      平坦傾斜面
７ｃ      突条
８        可曲連結部
９ａ      凹溝
９ｂ      突条
１０      ベース板部
１１      大径管保持
１１ａ    弾性抱持腕
１２      小径管保持
１２ａ    弾性湾曲壁
１３ａ    大径パイプ
１３ｂ    小径パイプ
１４      開口部
１５      第１可動ヒンジ
１６      第２可動ヒンジ
ａ        コンクリート構造物
ｂ        取付孔
【要約】
【課題】シャフトに対する楔部材の紛失発生を防ぐことができると共に、余分な部材のための経費の発生がなく、使用に際しての現場での取り扱いが容易なアンカー装置を提供する。
【解決手段】コンクリート構造物ａに設けた取付孔ｂ内に挿入するシャフト４の途中に凹入傾斜面６を設け、この凹入傾斜面６に収まる楔部材７によって抜け止め状態が得られるようにしたアンカー装置２であって、前記シャフト４の先端に可曲連結部８を介して前記楔部材７を一体成形し、前記楔部材７を可曲連結部８で折り曲げて凹入傾斜面６に収めるようにする。
【選択図】図１【図１】
0005485354.tif 000002
【図２】
0005485354.tif 000003
【図３】
0005485354.tif 000004
【図４】
0005485354.tif 000005
【図５】
0005485354.tif 000006